(57)【要約】【課題】  パネル間のシーリング材を効率的にかつＡＬＣパネルを傷つけることを最小限に止め、かつ切断面を直線的にきれいに仕上ることができるシーリング材除去装置を提供する。【解決手段】  台座の上に据え付けた丸鋸の回転軸に所定の間隔を保って２枚の回転刃を固定し、前記台座の下面に取り付けたガイドを使用してＡＬＣパネル間の目地に沿って回転刃を回転させて目地部のシーリング材を切削除去するように構成した。２枚の回転刃の間にその間隔を任意に調整できるようなスペーサーを具備したものが好ましい。【選択図】    図１
2008150804.tif 000002
【特許請求の範囲】
【請求項１】
台座の上に据え付けた丸鋸の回転軸に所定の間隔を保って２枚の回転刃を固定し、前記台座の下面に取り付けたガイドを使用してＡＬＣパネル間の目地に沿って回転刃を回転させて目地部のシーリング材を切削除去するように構成してなることを特徴とするシーリング材除の去装置。
【請求項２】
前記２枚の回転刃の間に、その間隔を任意に調整できるようなスペーサーを具備してなることを特徴とする請求項１に記載のシーリング材除去装置。
【請求項３】
前記ガイドの断面形状が、切除すべきシーリング材が埋設された目地部の断面形状と同じであるように構成されてなることを特徴とする請求項１又は２に記載のシーリング材除去装置。
【発明の詳細な説明】
【技術分野】
【０００１】
本発明は、例えば建築物の外壁材等として用いられるＡＬＣ(軽量気泡コンクリート)パネル間のシーリングを再施工する際の、シーリング材の除去方法に関するものである。
【背景技術】
【０００２】
軽量気泡コンクリート（ＡＬＣ）は、軽量で耐火性、耐熱性、施工性及び経済性に優れているために建材用パネルに成形され、ショッピングセンター等の大型建築物から戸建住宅のような小規模建築物まで幅広く使用されている。特に建築物の外壁材、間仕切材として広く使用されている。
ＡＬＣパネルを外壁材として使用する場合、そのパネル間には防水のためのシーリングを施工する。ビルなどの建物外壁におけるＡＬＣパネル接合部の目地溝には、シリコン又は非シリコン系シーリング材を充填して漏水防止が図られている。ただしこのシーリング材は時間がたつにつれて劣化し、防水性能もそれとともに劣化する。そのためこれらシーリング材の経年劣化に際しては、ある一定期間ごとに新たなシーリング材を充填する補修工事を施す必要がある。
シーリング材の補修方法としては、例えばメチルアルコール等の溶剤をシーリング材をカッターで除去した後の残留薄層に塗布し、拭き取って新たなシーリング材を充填する方法が知られている（例えば、特許文献１参照。）。
また、有機酸からなるシーリング材溶解液をシーリング材をカッターで除去した後の目地溝に充填し、シーリング材の残留薄層を溶解除去後に新たなシーリング材を充填する方法も提案されている（例えば、特許文献２参照。）。
【特許文献１】特開平６−１４６６１４号公報
【特許文献２】特開平２００１−１４０３６５号公報
【０００３】
更に、従来の補修方法ではシーリング材の除去に手間がかかることから、劣化したシーリング材の上に新しいシーリング材を増し打ちする方法も広く見られる。たとえばシーリング材を除去する方法として、シーリング材とＡＬＣパネル間にカッターナイフを差込み切断する方法、同じく振動型のカッターで切断する方法、ルータービットのような回転型の切削工具でシーリング材を削り取るといった方法が見られる。
【発明の開示】
【発明が解決しようとする課題】
【０００４】
しかしながら、カッターナイフを用いる方法は切断時に多大な労力を必要とし、作業能率が低い。振動型カッターを用いる方法では能率は向上するもののＡＬＣパネルを傷つけ、切断面がきれいに仕上がらず、シーリング材を再施工する際の仕上がりが美しくないといった問題があった。特に、ルータービットのような回転型の切削工具を用いる方法では、切削時にシーリング材の粉塵が多く発生してしまうことや、切削抵抗の大きさから切削面が直線状に仕上がらないといった問題があった。
本発明は上記の問題点を解決すべく提案されたもので、パネル間のシーリング材を効率的に、かつＡＬＣパネルを傷つけることを最小限に止め、かつ切断面を直線的にきれいに仕上ることができるシーリング材除去装置を提供することを目的とする。
【課題を解決するための手段】
【０００５】
上記の目的を達成するために本発明によるＡＬＣパネル間のシーリング材除去装置は、台座の上に据え付けた丸鋸の回転軸に所定の間隔を保って２枚の回転刃を固定し、前記台座の下面に取り付けたガイドを使用してＡＬＣパネル間の目地に沿って回転刃を回転させて、目地部のシーリング材を切削除去するように構成したシーリング材除去装置とした。本発明のシーリング材除去装置においては、前記２枚の回転刃の間にその間隔を任意に調整できるようなスペーサーを具備したものが好ましい。
また、前記ガイドの断面形状が、切除すべきシーリング材が埋設された目地部の断面形状と同じように構成されたものであることが好ましい。
シーリング材除去装置をこのように構成することにより、目地のシーリング材を２枚の刃を用いて一度に除去することにより、能率良く作業することができるようになる。また、ＡＬＣパネルを傷つけなくなるとともに、確実にシーリング材を除去することができるようになる。さらに、パネル間の目地の幅に応じて自由に対応できるようになり、シーリング材の除去後が美しく仕上がるように施工することができる。
【発明の効果】
【０００６】
本発明の目地部のシーリング材除去装置によれば、ＡＬＣパネルを傷つけることを最小限にとどめ、シーリング材を効率的に除去でき、かつ発生する粉塵も少ないという特徴がある。またこの装置によりシーリング材を除去した後の再施工のシーリングも直線的にきれいに施工することができる。
【発明を実施するための最良の形態】
【０００７】
以下、本発明を詳細に説明する。
図１に本発明のシーリング材除去装置の構造を断面図により、また、図２に本発明のシーリング材除去装置の構造を斜視図により示す。本発明のシーリング材除去装置は丸鋸状の装置に２枚の丸刃を取り付けたものである。
図に示すようベース台座４上に据え付けられた丸鋸３の回転軸３１に、２枚の丸刃１、１が間隔調整リング２を間に挟んで取り付けてある。丸鋸のベース台座４の下側には、ＡＬＣパネル７間の目地７１に合致する断面形状のガイド６が取り付けてある。このシーリング材除去装置のガイド６をＡＬＣパネル７の目地７１に合わせてセットし、丸刃を回転・進行させることによりシーリング材８を埋め込んであるＡＬＣパネル７ごと切断、除去する。
図中符号５は防塵カバーであって、丸刃１，１の周囲を取り囲むように覆ってあり、シーリング材を切除する際に発生する粉塵が外部に漏洩するのを防ぐ機能を有する。
目地７１の幅が比較的広く、発泡スチロール等のクッション材を使用する場合には、シーリング材８と共にその下のクッション材を埋め込んである位置のＡＬＣパネルまで切り込んでシーリング材８を取り除く。
【０００８】
本発明のシーリング材除去装置に使用する切削装置は一般的な丸鋸でよく、２枚の刃１，１の間隔がＡＬＣパネル７，７間の目地７１の幅に応じた間隔でセットする必要がある。従って２枚の刃１，１の間には、ある一定の幅の間隔調整リング２をセットし、ＡＬＣパネル間の目地幅を考慮して間隔調整リングの幅を設定する。
丸刃２，２は一般的なダイヤモンドホイール、チップソー、研削砥石ないしは単なるステンレスの丸板でもよく、切断するシーリング材の硬化、劣化状態に応じて選択することができる。一般に硬化が進んだシーリング材の除去の場合は、ダイヤモンドホイール、チップソーないし研削砥石がよく、硬化が進んでいない、まだ弾力を保持しているシーリング材の除去の場合は薄い丸板のようなものが好ましいが、切削したシーリング材が丸板に付いてしまい切削抵抗が大きくなってしまうため、丸板の先端が波状になっていたりセグメント状になっているなどのほうが好ましい。
【０００９】
切削装置が直線状に進むためのガイド６は、前記の丸鋸のベース台座４の下側に取り付ける。一般にＡＬＣパネル間の目地は一定の幅と深さを持っているため、その形状もしくはそれに近い形で目地に追従できる形状のガイドを、丸鋸のベース台座に２枚の刃の前後を挟むような位置に取り付ける。このガイドをＡＬＣパネル間の目地７１の溝に合わせて丸鋸を走らせ、シーリング材８埋設してあるＡＬＣパネル７を切削、除去する。ガイド６はＡＬＣパネル表面の塗装の凹凸を考慮して、ゴム質の材質を使用したり、ローラー状のものを取り付けるなどをしてＡＬＣパネル表面を滑らかに動くようにすることが、仕上がりの直線性を確保し作業性を向上させる上で好ましい。
２枚の刃の深さは目地７１のシーリング材の厚さが有れば十分である。通常、目地幅が狭い場合にはクッション材は使用されていない。この場合にはシーリング材の厚さまで切り込めればよい。２枚の刃の深さはシーリング材を切り込んで、ＡＬＣパネルの一部に達するまで切り込める深さに調整する。
目地幅が広い場合にはクッション材として発泡スチロール等が使用されている。この場合にはクッション材の一部に達するように、２枚の刃の深さを調整する。
【００１０】
シーリング材除去装置をこのように構成しておけば、
（１）ＡＬＣパネル間目地のシーリング材を、２枚の刃を用いて一度に除去することができ、パネル間目地の幅に応じて刃の間隔を自由に変えることができるので能率的な施工ができる、
（２）２枚の刃は、ＡＬＣパネルを傷つけることが少なく、確実にシーリング材を除去することができる、
（３）直線的に切削できるので、シーリング材の除去後が美しく仕上がる、
等の特徴が発揮される。
【図面の簡単な説明】
【００１１】
【図１】本発明のシーリング材除去装置の構造を説明する断面図である。
【図２】本発明のシーリング材除去装置の構造を説明する斜視図である。
【符号の説明】
【００１２】
１  丸刃
２  間隔調製リング
３  丸鋸
４  ベース台座
５  防塵カバー
６  ガイド
７  ＡＬＣパネル
８  シーリング材
３１  回転軸
７１  目地
【図１】
2008150804.tif 000003
【図２】
2008150804.tif 000004